(57)【要約】【課題】一対の管体を回り止め状態で接続し、シール部材の摩耗を防止でき且つ汎用性を高めるコネクタを提供する。【解決手段】このコネクタ１０は、ハウジング２０と、シール部材３０と、リテーナ４０と、ハウジング２０の他端外周に嵌合し回り止めされて着脱可能に装着される回り止め部材５０とを有し、回り止め部材５０は、接続部５１と回り止め部７０とを有し、接続部５１は、ハウジング２０の他端面が当接する受け部５９，６１と、ハウジング他端を軸方向に直交する方向から受け入れる挿入部５３と、ハウジング２０を回り止めする周壁５５と、ハウジング他端を挿入部５３から抜け止めする抜け止め突部６３と、ハウジング２０が回り止め部材５０の軸方向に抜けるのを防止する押え部６５とを有している。【選択図】図１
2014240684.tif 000002
【特許請求の範囲】
【請求項１】
外周に環状突部が形成された第１管体と、第２管体とを接続するためのコネクタであって、
一端が前記第２管体を接続するための接続部をなすと共に、他端内周が前記第１管体の挿入部をなす管状のハウジングと、
前記ハウジングの他端内周に配置され、前記第１管体が挿通されて同第１管体の外周と前記ハウジングの内周とをシールするシール部材と、
前記ハウジングに一体又は別体で設けられ、前記第１管体の環状突部に係合して、同第１管体を抜け止め保持するリテーナと、
前記ハウジングの他端外周に嵌合し、回り止めされて着脱可能に装着される回り止め部材とを有し、
前記回り止め部材は、前記ハウジングの他端に嵌合する接続部と、前記第１管体の外周又は前記第１管体の周囲に設けられた突起に係合する回り止め部とを有し、
前記接続部は、前記ハウジングの他端面が当接する受け部と、前記ハウジングの他端を前記回り止め部材の軸方向に対して直交する方向から受け入れる挿入部と、該挿入部を残して前記ハウジングの他端外周を囲み、前記ハウジングの外周に当接して回り止めする周壁と、前記ハウジングの他端を前記挿入部から抜けないようにする、前記挿入部に形成された抜け止め突部と、前記ハウジングの他端外周に当接して、前記ハウジングが前記回り止め部材の軸方向に抜けるのを防止する押え部とを有することを特徴とするコネクタ。
【請求項２】
前記ハウジングの他端外周は、多角形形状をなしている請求項１記載のコネクタ。
【請求項３】
前記ハウジングの他端外周は、正多角形形状をなしている請求項２記載のコネクタ。
【発明の詳細な説明】
【技術分野】
【０００１】
本発明は、例えば、ホースやチューブ、配管等の管体どうしを接続するための、コネクタに関する。
【背景技術】
【０００２】
例えば、自動車のブレーキ系統や、ラジエータ等の燃料供給系統には、複数のホースやチューブ等が配管されている。これらのホースやチューブ等の管体どうしを接続するために、コネクタが用いられている。
【０００３】
従来のこの種のコネクタとしては、一方の管体を接続した雌部材と、該雌部材内に挿入され、他方の管体を接続した雄部材と、雄部材の先端外周と雌部材内周との隙間をシールするシール部材と、雌部材と雄部材とを連結するリテーナとを備えるものが知られている。また、雄部材と雌部材とが相対的に回転すると、シール部材が摩耗してシール性が低下する恐れがあるので、両部材を回り止めする構造を設けたものが用いられている。
【０００４】
このような回り止め機構を有するものとして、下記特許文献１には、雄側部材と雌側部材とを係止固定するパイプ部材の接続構造であって、雄側部材は、外周に係止用突起部を設けた雄側パイプを有し、雌側部材は、雄側パイプと嵌合する筒状のコネクタ本体と、前記係止用突起部に前記コネクタ本体を係止するリテーナ部材とを備えた接続構造が記載されている。
【０００５】
前記雄側部材の所定箇所には、雄側パイプの軸方向に沿って板部が一体的に突設され、該板部には嵌合孔部が形成されており、一方、雌側部材のコネクタ本体の外周からは、外径方向に板部が突設され、該板部には、貫通孔が形成され、その内面に前記嵌合孔部に嵌合する凸部が突設されている。
【０００６】
そして、コネクタ本体内に雄側パイプを挿入し、リテーナ部材によって、コネクタ本体と雄側パイプを係止すると共に、コネクタ本体の板部の貫通孔内に、雄側パイプの板部を挿入し、凸部を嵌合孔部に嵌合させることにより、コネクタ本体と雄側パイプが回り止めされると共に軸方向移動が規制され、雄側部材と雌側部材とが接続される。
【先行技術文献】
【特許文献】
【０００７】
【特許文献１】特開２００６−１０５２０１号公報
【発明の概要】
【発明が解決しようとする課題】
【０００８】
上記特許文献１の接続構造においては、雄側部材に、嵌合孔部を設けた板部が形成され、雌側部材にも、貫通孔及び凸部を有する板部が形成されており、雄側部材及び雌側部材の両方に、回り止め用の構造が必要であった。この場合、一方の部材の寸法や形状等が変更されると、他方の部材もそれに合わせて、寸法や形状等を変更する必要があり、汎用性に乏しいという問題があった。
【０００９】
したがって、本発明の目的は、一対の管体を回り止め状態で接続して、シール部材の摩耗を防止できると共に、回り止め構造を簡素化して汎用性を高めることができる、コネクタを提供することにある。
【課題を解決するための手段】
【００１０】
上記目的を達成するため、本発明は、外周に環状突部が形成された第１管体と、第２管体とを接続するためのコネクタであって、一端が前記第２管体を接続するための接続部をなすと共に、他端内周が前記第１管体の挿入部をなす管状のハウジングと、前記ハウジングの他端内周に配置され、前記第１管体が挿通されて同第１管体の外周と前記ハウジングの内周とをシールするシール部材と、前記ハウジングに一体又は別体で設けられ、前記第１管体の環状突部に係合して、同第１管体を抜け止め保持するリテーナと、前記ハウジングの他端外周に嵌合し、回り止めされて着脱可能に装着される回り止め部材とを有し、前記回り止め部材は、前記ハウジングの他端に嵌合する接続部と、前記第１管体の外周又は前記第１管体の周囲に設けられた突起に係合する回り止め部とを有し、前記接続部は、前記ハウジングの他端面が当接する受け部と、前記ハウジングの他端を前記回り止め部材の軸方向に対して直交する方向から受け入れる挿入部と、該挿入部を残して前記ハウジングの他端外周を囲み、前記ハウジングの外周に当接して回り止めする周壁と、前記ハウジングの他端を前記挿入部から抜けないようにする、前記挿入部に形成された抜け止め突部と、前記ハウジングの他端外周に当接して、前記ハウジングが前記回り止め部材の軸方向に抜けるのを防止する押え部とを有することを特徴とする。
【００１１】
本発明のコネクタにおいては、前記ハウジングの他端外周は、多角形形状をなしていることが好ましい。
【００１２】
本発明のコネクタにおいては、前記ハウジングの他端外周は、正多角形形状をなしていることが好ましい。
【発明の効果】
【００１３】
本発明によれば、ハウジングの他端を、回り止め部材の軸方向に直交する方向から、挿入部を通してスライドさせて周壁内に挿入することで、ハウジングの他端面が受け部に当接し、ハウジングの他端外周が周壁に当接して回り止めされると共に、押え部によって回り止め部材の軸方向に抜けるのを防止され、更に挿入部に形成された抜け止め突部によって、挿入部から抜けるのを防止されて、ハウジングの他端に回り止め部材を装着することができる。
【００１４】
そして、第１管体をハウジングの他端内周に挿入して、シール部材に挿通させ、その環状突部をリテーナに係合させ、回り止め部材の回り止め部を第１管体の外周又は第１管体の周囲に設けられた突起に係合させることで、回り止め部材を介して、第１管体と、ハウジングに接続された第２管体とを回り止めした状態で接続することができる。
【００１５】
したがって、第１管体や第２管体に回転力が作用しても、回り止め部材によって、一方の管体が他方の管体に対して回転することを防止することができ、ハウジング内のシール部材が、第１管体やハウジングの回転により、摩耗することを確実に防止することができる。
【００１６】
また、回り止め部材の押え部が、ハウジングの他端外周に当接するので、第１管体や第２管体に回転力が作用して、回り止め部材に対してハウジングが回転しようとしても、剛性の高い押え部によって、ハウジングの他端外周をしっかりと押え付けて、ハウジングの回転を防止することができる。
【００１７】
また、ハウジングに対して回り止め部材が着脱可能に装着されるので、第１管体の形状や構造等が変わっても、回り止め部材の回り止め部の形状や構造等を適宜変えることで対応できるので、ハウジングを共用化することができ、ハウジングの汎用性が高められる。
【図面の簡単な説明】
【００１８】
【図１】本発明に係るコネクタの、一実施形態を示す分解斜視図である。
【図２】同コネクタの斜視図である。
【図３】同コネクタを構成する回り止め部材の平面図である。
【図４】同コネクタの断面図である。
【図５】同コネクタを用いて、第１管体１と第２管体とを接続した状態を示しており、図２のＡ−Ａ矢示線における断面図である。
【図６】本発明に係るコネクタの、他の実施形態を示す分解斜視図である。
【図７】同コネクタの斜視図である。
【図８】同コネクタを構成する回り止め部材の平面図である。
【図９】本発明のコネクタにおいて、押え部の他形状を示す説明図である。
【発明を実施するための形態】
【００１９】
以下、図１〜５を参照して、本発明のコネクタの一実施形態について説明する。
【００２０】
図１及び図５に示すように、この実施形態におけるコネクタ１０は、外周に環状突部２が形成された第１管体１と、第２管体５（図５参照）とを接続するためのもので、略筒状のハウジング２０と、環状のシール部材３０と、ハウジング２０に対して第１管体１を抜け止め保持するリテーナ４０と、ハウジング２０に回り止めされた状態で装着される回り止め部材５０とを備えている。
【００２１】
また、管体としては、例えば、自動車のブレーキ系統や、ラジエータ等の燃料供給系等において用いられるホースや、チューブ、パイプ等が挙げられるが、これ以外の管体でもよい。また、この実施形態では、前記第１管体１の軸方向途中が屈曲しており、この屈曲部３が回り止め部材５０の係合部として利用されるようになっている。
【００２２】
なお、第１管体１の軸方向途中から伸びる分岐管を、回り止め部材５０の係合部としたり、第１管体１の所定位置に突起を設けて、これを回り止め部材５０の係合部としたり、更には、第１管体１の周囲に配置された、他の部材（ラジエータ等）に突起を設けて、これを回り止め部材５０の係合部としてもよい。更に、第１管体１が例えばＬ字状に屈曲している場合には、その屈曲部を回り止め部材５０の係合部としてもよい。
【００２３】
図１に示すように、ハウジング２０は、他端部に対して一端部がエルボ状に屈曲した管状となっており、その一端が前記第２管体５を接続するための接続部２１をなし、他端内周が、前記第１管体１の先端部が挿入される挿入部２２をなしている。なお、ハウジング２０は直管状等であってもよく、特に限定はされない。
【００２４】
また、図４及び図５に示すように、ハウジング２０の内部は、他端開口側から段階的に縮径した形状をなしており、その奥方には、前記シール部材３０が配置されるシール部材配置部２３が設けられている。更に、ハウジング２０の他端側外周には、対向して配置された、挿入部２２に連通する一対の第１開口部２４，２４と、これらと直交する位置に対向して配置された、挿入部２２に連通する一対の第２開口部２５，２５とが設けられている。
【００２５】
そして、ハウジング２０の他端外周から、フランジ部２７が、ハウジング２０の外径方向に向けて形成されており、その外周は、回り止め部材５０に当接して回り止めできる形状、好ましくは角部を有する形状をなしている。この実施形態のフランジ部２７は、６つの辺２７ａ及び６つの角部を有する正六角形状をなしている（図１及び図２参照）。
【００２６】
該フランジ部２７の外周形状としては、４〜１５角の多角形形状であることが好ましく、６〜１２角の多角形形状であることがより好ましく、更に、６〜１２角の正多角形形状であることが最も好ましい。ただし、フランジ部２７の外周形状としては、上記の多角形形状のほか、例えば、円形状の対向位置を平行にカットした樽型形状、円形状の周方向一部を切欠いた形状、周方向に沿って山形状の突起を複数設けた略スプライン形状、楕円形状なども採用することができ、回り止め部材５０に当接して回り止めできる形状であればよい。
【００２７】
一方、リテーナ４０は、第１管体１が挿通される環状部４１と、該環状部４１の周方向に対向する箇所から撓み可能に延設された一対の第１係合片４２，４２と、前記環状部４１の周方向の、一対の第１係合片４２，４２に直交する位置から、撓み可能に延設された一対の第２係合片４３，４３とを有している。
【００２８】
各第１係合片４２及び第２係合片４３は、その先端部が外径方向に突出した形状をなしており、これらがハウジング２０の第１開口部２４又は第２開口部２５の内周に係合して、ハウジング２０に対してリテーナ４０が装着されるようになっている。
【００２９】
また、各係合片４２，４３の先端部の内側には、第１管体１の環状突部２が係合する係合凹部４２ａ，４３ａがそれぞれ設けられている。また、各係合片４２，４３の先端外周面は、先端に向けて縮径するテーパ壁４２ｂ，４３ｂが形成されている。更に、前記一対の第１係合片４２，４２の先端部からは、環状部４１側に向けて外方にツマミ片４２ｃ，４２ｃが延設されている（図４参照）。
【００３０】
そして、第１管体１をハウジング２０の挿入部２２に挿入すると、第１管体１の環状突部２が、各係合片４２，４３の係合凹部４２ａ、４３ａに係合する。その状態で、第１管体１に対して引き抜き力が作用すると、リテーナ４０が引っ張られて、各係合片４２，４３の先端外周のテーパ壁４２ｂ，４３ｂが、第１開口部２４又は第２開口部２５の開口縁部に当接して更に縮径しようとするため、第１管体１の環状突部２がより強く係合凹部４２ａ，４３ａに係合し、第１管体１の引き抜きが阻止される。
【００３１】
一方、第１管体１を引き抜きたいときには、一対の第１係合片４２，４２のツマミ片４２ｃ，４２ｃを指で押さえて、リテーナ４０が引き抜き方向に移動するのを阻止しながら第１管体１を強く引っ張ると、各係合片４２，４３の先端外周のテーパ壁４２ｂ，４３ｂが、第１開口部２４又は第２開口部２５の開口縁部に当接しないので、各係合片４２，４３が外方に広がることが許容され、係合凹部４２ａ，４３ａから環状突部２が外れて、第１管体１を引き抜くことができる。
【００３２】
このようなコネクタの係合構造については、例えば特開２００２―２１３６７１号公報等に開示されているので、その詳しい説明は省略することにする。ただし、本願発明は、上記実施形態の係合構造に限定されるものではなく、各種の係合構造を採用することができる。例えば、この実施形態では、ハウジング２０に対して、別体のリテーナ４０が装着されるようになっているが、ハウジング２０に対してリテーナを一体的に設けてもよい。
【００３３】
次に、ハウジング２０の他端外周に嵌合し、回り止めされて着脱可能に装着される回り止め部材５０について説明する。
【００３４】
この回り止め部材５０は、前記ハウジング２０の他端のフランジ部２７に嵌合する接続部５１と、前記第１管体１の外周又は第１管体１の周囲に設けられた突起に係合する回り止め部７０とを有している。
【００３５】
図１及び図３に示すように、この接続部５１は、中央に管挿通孔５２が形成された枠状をなすと共に、その周方向の一部が所定幅で切欠かれて、ハウジング２０のフランジ部２７を、回り止め部材５０の軸方向（管挿通孔５２の貫通方向）に対して直交する方向から受け入れる、挿入部５３が形成されている。
【００３６】
前記接続部５１は、前記挿入部５３を残して、残りの外周部分が枠状をなし、ハウジング２０のフランジ部２７の外周を囲む周壁５５が形成されている。この実施形態の周壁５５は、前記挿入部５３へのフランジ部２７の挿入方向の両側に配置された一対の側壁５６，５６と、フランジ部２７の挿入方向奥側に配置された壁部５７とからなり、平面から見たときに略Ｕ字枠状をなしている。なお、前記側壁５６，５６は、挿入方向奥側の壁部５７よりも高く突出しており、かつ、スリットや切欠き等が設けられておらず、剛性が確保された形状となっている。
【００３７】
そして、周壁５５を構成する側壁５６，５６及び壁部５７の内周には、前記ハウジング２０のフランジ部２７の形状に対応して、複数の辺５８を有する多角形形状をなしており、これらが前記ハウジング２０のフランジ部２７の外周に当接して、ハウジング２０に対して回り止め部材５０を回り止めするようになっている。
【００３８】
また、前記壁部５７の辺５８，５８から、突起状の受け部５９，５９が突設されていると共に、前記挿入部５３のフランジ部挿入側の開口に、撓み可能とされた板状の受け部６１が、側壁５６，５６に連結されて配置されている。これらの受け部５９，６１は、挿入部５３に挿入された、前記ハウジング２０のフランジ部２７の開口側端面に当接して、これを支持する部分となっている。なお、前記受け部５９は突起状をなしているが、壁部５７の辺５８に沿って伸びるリブ状等としてもよく、特に限定されない。また、前記受け部６１は、板状に限定されず、スリットや切欠き等を設けることで、撓み可能な構造であればよい。
【００３９】
前記挿入部５３のフランジ部挿入側開口であって、前記板状の受け部６１に隣接した位置に、段状をなした抜け止め突部６３が設けられており、この抜け止め突部６３の内周（受け部６１側）には、略くの字状をなした辺６３ａ，６３ａが形成されている。そして、この抜け止め突部６３の前記各辺６３ａ，６３ａが、前記挿入部５３に挿入された前記フランジ部２７の辺２７ａ，２７ａにそれぞれ係合して、同フランジ部２７を挿入部５３から抜けないように保持するようになっている。
【００４０】
なお、この実施形態における回り止め部材５０の接続部５１の内周形状は、前記ハウジング２０の正六角形形状をなしたフランジ部２７に対応して、前記周壁５５の側壁５６及び壁部５７の複数の辺５８と、前記抜け止め突部６３の辺６３ａ，６３ａとを合わせて、全体として６つの辺からなる正六角形形状をなしている。
【００４１】
また、接続部５１の内周形状としては、前記ハウジング２０のフランジ部２７が嵌合する形状であればよく、４〜１５角の多角形形状であることが好ましく、６〜１２角の多角形形状であることがより好ましく、６〜１２角の正多角形形状であることが最も好ましい。更に、前記フランジ部２７の形状に対応して、前記接続部５１の内周形状を、円形状の対向位置を平行にカットした樽型形状、円形状の周方向一部を切欠いた形状、周方向に沿って山形状の凹部を複数設けた略スプライン形状、楕円形状などとすることもできる。
【００４２】
更に、前記周壁５５の各側壁５６の辺５８の先端部中央からは、突起状の押え部６５，６５がそれぞれ突設されている（図１及び図３参照）。この押え部６５，６５が、挿入部５３に挿入された前記ハウジング２０のフランジ部２７の周縁に当接することで、前記受け部５９，６１と相俟って前記フランジ部２７を挟み込んで、ハウジング２０が、回り止め部材５０の軸方向に抜けるのを防止する（図２参照）。なお、この実施形態における押え部６５は、突起状をなしているが、周壁５５の側壁５６の辺５８に沿って伸びるリブ状等としてもよく、特に限定はない。
【００４３】
そして、図１に示すように、前記ハウジング２０のフランジ部２７を、回り止め部材５０の軸方向に直交する方向から挿入部５３に挿入すると、フランジ部２７により抜け止め突部６３が押圧されて、板状の受け部６１を撓ませつつ押し込まれていき、フランジ部２７の挿入方向先端側の辺２７ａ，２７ａが、壁部５７の辺５８，５８に突き当たり、受け部５９，５９に当接して支持されると、前記受け部６１が弾性復帰する。その結果、フランジ部２７の各辺２７ａが、周壁５５の各辺５８及び抜け止め突部６３の辺６３ａにそれぞれ係合して、ハウジング２０に対して回り止め部材５０が回り止めされると共に、挿入部５３からの抜け外れが防止される。更に、フランジ部２７の上部周縁に押え部６５，６５が当接して、ハウジング２０が、回り止め部材５０の軸方向への抜けるのを防止された状態で、ハウジング２０に回り止め部材５０が装着される（図２参照）。
【００４４】
一方、この実施形態の前記回り止め部７０は、図１、図２及び図４に示すように、前記接続部５１の、押え部６５が設けられた位置と反対側の端部から、接続部５１の周方向に沿った所定幅で、かつ、接続部５１の軸方向に沿って、長板状をなすように所定長さで延設されている。また、回り止め部７０の先端には、両側面が互いに平行で、かつ、その奥方の内面が円弧状をなした、切欠き状の凹部７１が形成されている（図１及び図４参照）。
【００４５】
そして、図２及び図５に示すように、回り止め部７０の凹部７１が、第１管体１の屈曲部３に係合することで、第１管体１に対して回り止め部材５０が回り止めされ、それによって、接続部５１にフランジ部２７が嵌合したハウジング２０も回り止めされるようになっている。
【００４６】
なお、回り止め部７０の構造としては、例えば、接続部５１に直接凹部や切欠きを設けて、これを第１管体１の外周やその周囲の突起に係合させたり、或いは、接続部５１から凸状やボス状、フランジ状の回り止め部を設けて、これに凹部や切欠きを設けて、第１管体１の外周やその周囲の突起に係合させたりしてもよく、前記第１管体１の外周やその周囲の突起の形状等に応じて、適宜設定することができる。
【００４７】
次に、上記構成からなるコネクタ１０の使用方法の一例について説明する。
【００４８】
まず、ハウジング２０の他端開口からシール部材３０を挿入して、シール部材配置部２３に配置した後、リテーナ４０を挿入し、各第１係合片４２のツマミ片４２ｃを各第１開口部２４から挿出させると共に、各第１係合片４２の先端部を各第１開口部２４に係合させ、かつ、各第２係合片４３の先端部を各第２開口部２５に係合させることで、ハウジング２０に対してリテーナ４０が抜け止め状態で装着される（図４参照）。
【００４９】
次いで、図１に示すように、前記ハウジング２０のフランジ部２７を、回り止め部材５０の軸方向に直交する方向から、挿入部５３に挿入していく。すると、フランジ部２７により抜け止め突部６３が押圧されて、板状の受け部６１を撓ませつつ押し込まれていき、フランジ部２７の挿入方向先端側の辺２７ａ，２７ａが、壁部５７の辺５８，５８に突き当たり、受け部５９，５９に当接して支持されると、板状の受け部６１が弾性復帰する。
【００５０】
その結果、フランジ部２７の複数の角部が接続部５１内周の対応する隅部に係合し、かつ、フランジ部２７の各辺２７ａが、接続部５１の周壁５５の各辺５８及び抜け止め突部６３の辺６３ａ，６３ａにそれぞれ係合して、ハウジング２０に対して回り止め部材５０が回り止めされると共に、挿入部５３から抜けないように保持される。
【００５１】
それと共に、フランジ部２７の上部周縁に押え部６５，６５が当接し、前記受け部５９，６１と相俟ってフランジ部２７を挟み込んで、ハウジング２０が、回り止め部材５０の軸方向に抜けるのを防止された状態で、ハウジング２０に回り止め部材５０を装着することができる（図２及び図４参照）。
【００５２】
このように、この実施形態によれば、ハウジング２０のフランジ部２７を、回り止め部材５０の軸方向に直交する方向から、挿入部５３に挿入して押し込むだけの簡単な作業で、フランジ部２７が、接続部５１の内周に嵌合して回り止めされると共に、抜け止め突部６３によって挿入部５３から抜け止めされ、かつ、押え部６５によって回り止め部材５０の軸方向への抜けが防止された状態で保持されるので、ハウジング２０と回り止め部材５０との組付け作業性を向上させることができる。
【００５３】
そして、第１管体１と第２管体５との接続に際しては、第１管体１の屈曲部３に、回り止め部材５０の回り止め部７０の凹部７１を整合させて、第１管体１に対して、回り止め部材５０が装着されたハウジング２０を押し込んでいくと、ハウジング２０の挿入部２２内に第１管体１の先端部が挿入され、その環状突部２が、リテーナ４０の各第１係合片４２の係合凹部４２ａ及び各第２係合片４３の係合凹部４３ａにそれぞれ係合する。このとき同時に、回り止め部材５０の、回り止め部７０の凹部７１を、第１管体１の屈曲部３の外周に係合させることができる。その結果、第１管体１に対して回り止め部材５０を回り止めした状態で接続できると共に、同回り止め部材５０を介して、第１管体１と、ハウジング２０に接続された第２管体５とを、回り止めした状態で接続することができる（図２及び図５参照）。また、第１管体１の先端部が、シール部材３０の内周に挿通されて、第１管体１の先端部外周とハウジング２０の挿入部２２の内周とがシール部材３０によりシールされる。
【００５４】
したがって、第１管体１や第２管体５に回転力が作用しても、回り止め部材５０によって、第１管体１と第２管体５とが相対的に回転することを防止することができるので、ハウジング２０の、シール部材配置部２３に配置されたシール部材３０が、第１管体１やハウジング２０等の回転によって、摩耗することを確実に防止することができる。
【００５５】
また、このコネクタ１０においては、押え部６５は、スリットや切欠き等がない側壁５６から突設しており、その剛性が高いので、第１管体１や第２管体５に回転力が作用して、回り止め部材５０に対してハウジング２０が回転しようとしても、剛性の高い押え部６５によって、ハウジング２０のフランジ部２７の上部周縁をしかりと押え付けて、ハウジング２０の回転をより確実に防止することができる。
【００５６】
ところで、メンテナンス等の理由により、第１管体１と第２管体５との接続を解除したい場合には、リテーナ４０の一対の第１係合片４２，４２のツマミ片４２ｃ，４２ｃを指で押さえて、リテーナ４０が引き抜き方向に移動するのを阻止しながら、第１管体１を強く引っ張ると、各係合片４２，４３の先端外周のテーパ壁４２ｂ，４３ｂが、第１開口部２４又は第２開口部２５の開口縁部に当接しないので、各係合片４２，４３が外方に広がることが許容され、係合凹部４２ａ，４３ａから環状突部２が外れて、第１管体１を引き抜くことができる。
【００５７】
また、ハウジング２０から回り止め部材５０を取外したい場合には、抜け止め突部６３を押して板状の受け部６１を撓ませて、抜け止め突部６３の辺６３ａと、フランジ部２７の辺２７ａ，２７ａとの係合を解除し、この状態で、ハウジング２０のフランジ部２７を、回り止め部材５０の軸方向に直交する方向にスライドさせて、挿入部５３の開口から抜き出すことで、接続部５１とフランジ部２７との嵌合が解除されて、ハウジング２０から回り止め部材５０を取外すことができる。
【００５８】
このように、このコネクタ１０においては、ハウジング２０に対して回り止め部材５０が着脱可能に装着されるようになっているので、第１管体１の形状や構造等が変わっても、回り止め部材５０の回り止め部７０の形状や構造等を適宜変えることで対応でき、その結果、ハウジング２０を共用化することができ、ハウジング２０の汎用性を高めることができる。
【００５９】
更にこの実施形態におけるハウジング２０の他端外周には、多角形形状（この実施形態では正六角形形状）をなしたフランジ部２７が設けられているので、複数の各辺２７ａが、回り止め部材５０の周壁５５の複数の各辺５８にそれぞれ係合して、ハウジング２０と回り止め部材５０との回り止めがより確実になされる。
【００６０】
また、この実施形態においては、ハウジング２０の他端外周、すなわち、フランジ部２７の外周が正多角形形状（ここでは正六角形）をなしているので、ハウジング２０に対する回り止め部材５０の組付け角度を、正多角形の中心角（隣接する角部と中心とを結ぶ角度、例えば、正六角形形状の場合は６０°）に応じた角度で変更することができ、第１管体１やその付属物の形状に応じて、第１管体１に対するコネクタ１０の取付角度を変更することができ、回り止め部材５０の汎用性を高めることができる。
【００６１】
図６〜８には、本発明のコネクタの、他の実施形態が示されている。なお、前記実施形態と実質的に同一部分には同符号を付してその説明を省略する。
【００６２】
この実施形態のコネクタ１０ａは、ハウジング２０ａのフランジ部２７が、６つの辺２７ａ及び６つの角部を有する略六角形形状をなしていると共に、隣接する一対の辺２７ａ，２７ａの間から、ハウジング２０ａの外径方向に向けて、長板状をなした位置決めリブ２８が突設された形状をなしている（図６及び図７参照）。これに対応して、回り止め部材５０ａの、抜け止め突部６３の内周側の辺６３ａが、長方形の凹状をなしており、該抜け止め突部６３の凹状の辺６３ａに、前記ハウジング２０ａの位置決めリブ２８の辺２８ａが係合するようになっている（図７及び図８参照）。
【００６３】
この実施形態では、回り止め部材５０ａの抜け止め突部６３の凹状をなした辺６３ａに、ハウジング２０ａの位置決めリブ２８の辺６３ａが係合するようになっているので、回り止め部材５０ａの接続部５１に対する、ハウジング２０ａのフランジ部２７の位置を正確に位置決めすることができると共に、ハウジング２０ａと回り止め部材５０ａとの回り止めを、よりしっかりと行うことができる。
【００６４】
ところで、図１〜５に示す実施形態及び図６〜８に示す実施形態では、ハウジング２０の他端外周に、板状のフランジ部２７が設けられており、このフランジ部２７の上部周縁が突起状の押え部６５により押え付けられるようになっているが、この形態に限定されるものではない。
【００６５】
例えば、図９に示すように、ハウジング２０，２０ａのフランジ部２７の挿入方向から見たとき、回り止め部材５０，５０ａの接続部５１の周壁５５の内周に、基端側が幅広で、先端側に向けて次第に幅狭となるように開口した、いわゆるアリ溝形状の押え部６５を形成し、これに対応してハウジング２０，２０ａのフランジ部２７の外周形状を、先端に向けて次第に拡径するテーパ状として、ハウジング２０，２０ａの、回り止め部材５０，５０ａに対する軸方向の抜け外れを防止するようにしてもよい。
【符号の説明】
【００６６】
１  第１管体
２  環状突部
３  分岐管
５  管体
１０，１０ａ  コネクタ
２０，２０ａ  ハウジング
２１  接続部
２２  挿入部
３０  シール部材
４０  リテーナ
５０，５０ａ  回り止め部材
５１  接続部
５２  管挿通孔
５３  挿入部
５５  周壁
５９，６１  受け部
６３  抜け止め突部
６５  押え部
７０  回り止め部
７１  凹部
【図１】
2014240684.tif 000003
【図２】
2014240684.tif 000004
【図３】
2014240684.tif 000005
【図４】
2014240684.tif 000006
【図５】
2014240684.tif 000007
【図６】
2014240684.tif 000008
【図７】
2014240684.tif 000009
【図８】
2014240684.tif 000010
【図９】
2014240684.tif 000011